(57)【要約】【課題】  照明の照射範囲を任意に設定でき、初期導入コストの安い経済的な照明装置を提供する。【解決手段】  電源供給基板３とそれに接続される発光基板４とから構成される照明ユニット２００を複数用いて照明装置１００を構成する。電源供給基板３を２分岐構成として一方に隣接する照明ユニット２００の電源供給基板３を接続し、他方に発光基板４を接続することにより、複数の照明ユニット２００を並列接続可能とし、共通の電源から任意の発光基板４に電力を供給可能とする。【選択図】        図１
0003119573.tif 000002
【実用新案登録請求の範囲】
【請求項１】
電源供給用の第１のコネクタと、縦続接続用の第２のコネクタと、発光基板接続用の第３のコネクタとを有し、前記第１のコネクタに接続された電源線を前記第２のコネクタと前記第３のコネクタに分岐する分岐部を備える複数の電源供給基板と、
前記電源供給基板の第３のコネクタに接続される第４のコネクタとこの第４のコネクタに接続される発光素子用ソケットを備える複数の発光基板とを含み、
前記複数の電源供給基板の第１のコネクタと第２のコネクタとをそれぞれ縦続接続し、前記の縦続接続された電源供給基板の任意の第３のコネクタに第４のコネクタを介して接続される発光基板に電流を供給することを特徴とする照明装置。
【請求項２】
前記発光素子用ソケットには発光素子が装着されることを特徴とする請求項１に記載の照明装置。
【請求項３】
前記発光素子は発光ダイオードであることを特徴とする請求項２に記載の照明装置。
【請求項４】
前記発光素子用ソケットは複数の発光素子の装着を可能とすることを特徴とする請求項１に記載の照明装置。
【請求項５】
前記発光基板には定電流素子を装着することを特徴とする請求項１に記載の照明装置。
【請求項６】
前記定電流素子は定電流ダイオードであることを特徴とする請求項５に記載の照明装置。
【考案の詳細な説明】
【技術分野】
【０００１】
本考案は、電源供給基板とそれに接続される発光基板とから構成される照明ユニットを、その使用目的と大きさに合わせて複数接続可能な構成とすることにより任意の範囲の照明を可能とする照明装置に関する。特に、照明ユニットを電源部（電源供給基板）と発光部（発光基板）に分割した構成とし、複数の電源部を接続可能な構成とすることにより、照明が必要なエリアに配置された電源部のみに発光部を接続することで任意の範囲の照明を可能とする照明装置に関する。
【背景技術】
【０００２】
発光領域の形状を自在に形成できるＬＥＤ照明装置の第１の従来例を図６を用いて説明する（特許文献１）。これは、複数のＬＥＤ６４を含むＬＥＤ表示ユニット６０Ｂ１、６０Ｂ２等を１つの電源アダプタ６１や定電流回路６２、６３で給電して各ＬＥＤ表示ユニットを点灯させる表示装置であるが、各ＬＥＤ表示ユニットをＣ１やＣ２等の接続点で切り離して、その長さを調整可能とし（図６（Ａ）参照）、長さを調整したＬＥＤ表示ユニットを適宜連結して発光領域の形状を自在に形成可能とする（図６（Ｂ）参照）ものである。
【０００３】
図７は、ＬＥＤ照明装置の第２の従来例である（特許文献２）。これは中央に発光素子７５、側面に接合用端子７６を具備している発光ブロックを相互に接続し、一端に設けた電源コネクタ７４に電源７２のプラグ７３を差し込んでスイッチ７２を介して各発光ブロックに給電することにより、照明範囲を直線状に構成できる照明装置である。この照明装置は接合用端子７６を介して発光ブロックを複数個接続しているから、必要な数の発光ブロックのみを接続することにより発光ブロックの長さを調節することができる。
【特許文献１】特開２００５−１８３７２１号公報
【特許文献２】特開昭５８−１３１２６７号公報
【考案の開示】
【考案が解決しようとする課題】
【０００４】
いずれの従来技術でも、照明装置は１つの電源部と複数の発光ユニットが一体構成で１つにまとまった照明装置を構成するため、照射範囲の拡大や変更を行う場合には発光ユニット毎の増設が必要になるため、結果として余分な光源を設けることにもなって経済的でなく、また余分な設置スペースも必要になって効率的ではないという欠点があった。また、いずれの従来技術も複数の電源部を接続可能にする構成ではないから、発光ユニットの増設は連続させて行う必要があるので、特定の狭いエリアのみを選択的に照射することができず柔軟性に欠けるという欠点もあった。また第１の従来例ではＬＥＤ表示ユニットを切り離す構造であるから、一部のＬＥＤ表示ユニットにのみ不備があっても、不備の部分のみを交換することが困難なため不便でかつ経済的ではないという欠点もあった。
【課題を解決するための手段】
【０００５】
本考案の第１の照明装置は、電源供給用の第１のコネクタと、縦続接続用の第２のコネクタと、発光基板接続用の第３のコネクタとを有し、前記第１のコネクタに接続された電源線を前記第２のコネクタと前記第３のコネクタに分岐する分岐部を備える複数の電源供給基板と、前記電源供給基板の第３のコネクタに接続される第４のコネクタとこの第４のコネクタに接続される発光素子用ソケットを備える複数の発光基板とを含み、前記複数の電源供給基板の第１のコネクタと第２のコネクタとをそれぞれ縦続接続し、前記の縦続接続された電源供給基板の任意の第３のコネクタに第４のコネクタを介して接続される発光基板に電流を供給することを特徴とする。
【０００６】
好ましくは、本考案の照明装置においては、前記発光素子用ソケットには発光素子が装着されることを特徴とする。
【０００７】
また、好ましくは、本考案の照明装置においては、前記発光素子は発光ダイオードであることを特徴とする。
【０００８】
また、好ましくは、本考案の照明装置においては、前記発光素子用ソケットは複数の発光素子の装着を可能とすることを特徴とする。
【０００９】
また、好ましくは、本考案の照明装置においては、前記発光基板には定電流素子を装着することを特徴とする。
【００１０】
また、好ましくは、本考案の照明装置においては、前記定電流素子は定電流ダイオードであることを特徴とする。
【考案の効果】
【００１１】
以上記載したように、本考案の照明装置によれば、照明装置を規模の小さな複数の照明ユニットにより構成し、各照明ユニットを電源部と発光部に分割し、各照明ユニットに含まれる電源部を縦続接続可能な構成として、１つの共通電源から各照明ユニットの電源部に給電可能な構成とし、照明が必要なエリアの照明ユニットの電源部のみに発光部を接続することにより、１つの照明ユニットがカバーする狭い照射範囲の単位での増設を可能とし、最小限のイニシャルコストで必要な照射範囲を確保することができて経済的である。
【００１２】
また照射が必要なエリアに設けた電源部にのみ発光部を接続すればよいので、発光部の設置スペースは最小限で済み、また照射範囲を柔軟に設定できるため、鑑賞魚水槽等のように一定範囲を効率的に照明する必要のある用途から、居室の照明のように広範囲を照明する用途に至るまで多岐に利用することができ、照明装置の利用範囲を拡大することができる。
【００１３】
さらに規模の小さな照明ユニットを単位として構成するので、照明装置の一部に機能低下が発生した場合でも該当する発光部のみの交換で済むため、経済的に維持管理が可能であるという利点もある。
【考案を実施するための最良の形態】
【００１４】
第１の実施例
図１は本考案の照明装置１００の回路図である。照明装置１００は、複数の照明ユニット２００から構成される。図１において、１は交流１００Ｖの家庭用の商用電源、２はその商用電源の電圧をＬＥＤ等の発光素子の駆動に適した電圧に変換しかつ整流するための電源アダプタ、３は本考案の特徴である電源供給基板、４は発光基板である。１つの電源供給基板３とそれに接続される発光基板４により１つの照明ユニット２００が構成される。
【００１５】
電源供給基板３において、３１は第１のコネクタ、３２は第２のコネクタ、３３は第３のコネクタ、３４は電源線、３５は電源線３４を第２のコネクタ３２と第３のコネクタ３３に分岐する分岐部である。
【００１６】
また発光基板４において、４１は第４のコネクタ、４２は発光素子、４３は定電流素子である。発光素子４２としては発光ダイオードが好適であるが、これには限定されない。例えば有機ＥＬやレーザダイオード等の他の固体発光素子や白色電球でも本考案は成り立つ。ただし、使用する発光素子の特性によって、電源アダプタ２の構成や特性を変更する必要があることはもちろんである。ここでは発光ダイオード（ＬＥＤ）を例に説明する。定電流素子４３は例えば定電流ダイオードが好適であるが、それには限定されず、例えば三端子レギュレータ等の各種の定電流素子を使用することができる。ここでは発光素子４２に対する駆動電源として商用電源１を用い、電源アダプタ２を介して発光素子４２に電圧が印加する構成を用いた例であるが、商用電源１は比較的電圧変動が大きいため発光素子４２に対する印加電圧も変動し、発光のちらつきや照度低下を起こす場合があるため、それらを防止するために定電流素子４３を用いている。従って、電源アダプタ２を高精度化して電源電圧変動を低減させれば定電流素子４３は不要である。
【００１７】
また１つの発光基板４には複数の発光素子４２を含む場合がほとんどで、ここでは１６個の発光素子４２を４行４列のマトリクス配置にした場合を示しているが、もちろんこれには限定されない。例えば全ての発光素子４２を並列に接続したり、２行１列のマトリクス配置にする場合等の様々な構成を用いることができる。要するに、１つの発光基板あたりの発光素子４２の数や１列当りの発光素子４２の数は、発光素子４２の特性と電源アダプタ２の特性との関係や、１つの発光基板４の大きさ等の条件に適した数や配置にすればよく、それらは全て本考案に含まれる。
【００１８】
電源供給基板３の中の第１のコネクタ３１と第２のコネクタ３２は、電源線３４で接続し、その電源線３４を分岐し、その分岐した電源線を第３のコネクタ３３に接続する。また第３のコネクタ３３と発光基板４の中の第４のコネクタ４１を接続する。これにより第１のコネクタ３１から入力した電流は第３のコネクタ３３を経由して発光素子４２に流れ、発光素子４２を点灯させることができる。また第２のコネクタ３２は隣接する照明ユニット２００の電源供給基板３の第１のコネクタ３１と接続することによって、隣接する照明ユニット２００の電源供給基板３にも電源アダプタ２からの電流を流すことができる。
【００１９】
図１では３つの照明ユニット２００の電源供給基板を接続させた例を示したが、もちろんこれには限定されず、電源アダプタ２の容量の範囲内でいくつでも電源供給基板３を接続することができる。また電源供給基板２とそれに接続された発光基板４から成る照明ユニット２００が電源線３４に並列に接続される構成となるので、電源供給基板３には発光基板４を必ず接続させる必要はなく、光の照射が必要なエリアにある電源供給基板３にのみ発光基板４を接続することができる。これにより、電源供給基板３だけを予め多数接続しておけば、任意のエリアを選択して自由に光を照射させることができる。また、多数の電源供給基板３だけを縦続に接続させた状態で予め設置しておき、照明が必要な場所のみに発光基板４を接続することもできるので、オフィス等での利用にも適する。
【００２０】
図２は本考案の発光基板４の構成である。図１に示した発光基板４と同一の部分には同一の符号を付して説明を省略する。４５は発光素子を装着するための発光素子用ソケットである。第４のコネクタ４１の一方の端子からの線は４つに分岐されてそれぞれ定電流素子４３の一方の端子に接続され、定電流素子４３の他方の端子から１つの発光素子用ソケット４５の一方の端子に接続される。この発光素子用ソケット４５の他方の端子は隣接の発光素子用ソケット４５の一方の端子に接続され、これを４回繰り返して最後の発光素子用ソケット４５の他方の端子が第４のコネクタ４１の他方の端子に接続される。つまり、この例は４個の発光素子を直列に接続し、それらを４つ並列に接続する場合の例を示しているが、もちろんこれには限定されない。全ての発光素子用ソケット４５を並列に接続する形態とすることもできる。また既に述べたように、定電流素子４３は省略することもできる。
【００２１】
図３は図１に示した回路図に対応する本考案の照明装置の外観図である。図１や図２と同一の部分には同一の符号を付した。ここでは各発光基板４内の発光素子用ソケット４５には全ての発光素子４２が装着された状態を示しているが、発光素子４２の一部を装着するようにしてもよい。また既に述べたように、各発光素子用ソケット４５を並列接続にすれば、任意の照度を実現することができる。また本考案では、１つの照明ユニット２００を構成する電源供給基板３と発光基板４を分離構成にするとともに隣接する照明ユニット２００内の電源供給基板３同士を接続し、各照明ユニット２００は並列接続される構成としたので、必要な電源供給基板３のみに発光基板４を接続して共通の電源から各発光基板４を駆動することができる。
【００２２】
図４は図３と同様の外観図であるが、これは全ての電源供給基板３にそれぞれ発光基板４を接続した状態を示したものであり、個々の部分の構成は図３と同一である。
第２の実施例
図１では電源供給基板同士や電源供給基板と発光基板をコネクタを介して直接接続する例を示したが、これらの間をケーブルを介して接続してもよく、その例を図５に示す。図１と同一の部分には同一の符号を付して説明を省略する。５はコネクタ付きケーブルである。この例は、２つの電源供給基板３の間をコネクタ付きケーブル５で接続した例、および１つの電源供給基板３と発光基板４をコネクタ付きケーブル５で接続した例を示す。例えば将来的にも光を照射するエリアになる可能性がないところには電源供給基板を設ける必要はないので、その部分は電源供給基板３の代わりにコネクタ付きケーブル５を用いて一方の電源供給基板３の第２のコネクタ３２と他方の電源供給基板３の第１のコネクタ３１とを接続することができる。また電源供給基板３から離れた場所に光を照射する必要がある場合には、電源供給基板３内の第３のコネクタ３３と発光基板４内の第４のコネクタ４１の間をコネクタ付きケーブル５で接続することで、発光基板４を電源供給基板３から離れた任意の場所に設置することができる。
【図面の簡単な説明】
【００２３】
【図１】本考案の第１の実施例の照明装置の回路図である。
【図２】本考案の第１の実施例の照明装置に含まれる発光基板の構成図である。
【図３】本考案の第１の実施例の照明装置の外観図である。
【図４】本考案の第２の実施例の照明装置の外観図である。
【図５】本考案の第２の実施例の照明装置の回路図である。
【図６】照明装置の第１の従来例である。
【図７】照明装置の第２の従来例である。
【符号の説明】
【００２４】
２  電源アダプタ
３  電源供給基板
４  発光基板
５  コネクタ付きケーブル
３１  第１のコネクタ
３２  第２のコネクタ
３３  第３のコネクタ
３４  電源線
３５  分岐部
４１  第４のコネクタ
４２  発光素子
４３  定電流素子
４５  発光素子用ソケット
１００  照明装置
２００  照明ユニット
【図１】
0003119573.tif 000003
【図２】
0003119573.tif 000004
【図３】
0003119573.tif 000005
【図４】
0003119573.tif 000006
【図５】
0003119573.tif 000007
【図６】
0003119573.tif 000008
【図７】
0003119573.tif 000009